Podtech/llm-jp-corpus-v4-ja_patent huggingface dataset:
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
文書処理装置であって、
文書画像から複数の物理ページを抽出する第１抽出手段と、
前記第１抽出手段によって抽出された前記複数の物理ページの夫々からオブジェクトを抽出する第２抽出手段と、
前記第２抽出手段によって抽出された少なくとも１つのオブジェクトが前記複数の物理ページにまたがっているか否かを判定する判定手段と、
前記判定手段によって前記複数の物理ページにまたがっていると判定されたオブジェクト同士を結合する結合手段と、
を有することを特徴とする文書処理装置。
【請求項２】
前記判定手段は、前記複数の物理ページの夫々のレイアウトを解析し、解析した結果に基づいて少なくとも１つのオブジェクトが前記複数の物理ページにまたがっているか否かを判定することを特徴とする請求項１に記載の文書処理装置。
【請求項３】
前記判定手段は、前記第２抽出手段によって抽出された夫々のオブジェクトの特徴を解析し、当該特徴に基づいて少なくとも１つのオブジェクトが前記複数の物理ページにまたがっているか否かを判定することを特徴とする請求項１に記載の文書処理装置。
【請求項４】
前記判定手段は、前記第２抽出手段によって抽出された夫々のオブジェクトの有するテキストの特徴を解析し、当該特徴に基づいて少なくとも１つのオブジェクトが前記複数の物理ページにまたがっているか否かを判定することを特徴とする請求項３に記載の文書処理装置。
【請求項５】
前記判定手段は、前記第２抽出手段によって抽出された夫々のオブジェクトの有する表の特徴を解析し、当該特徴に基づいて少なくとも１つのオブジェクトが前記複数の物理ページにまたがっているか否かを判定することを特徴とする請求項３に記載の文書処理装置。
【請求項６】
前記判定手段は、前記第２抽出手段によって抽出された夫々のオブジェクトの色や形状の特徴を解析し、当該特徴に基づいて少なくとも１つのオブジェクトが前記複数の物理ページにまたがっているか否かを判定することを特徴とする請求項３に記載の文書処理装置。
【請求項７】
前記判定手段は、前記第２抽出手段によって抽出された夫々のオブジェクトの位置関係を解析し、当該位置関係に基づいて少なくとも１つのオブジェクトが前記複数の物理ページにまたがっているか否かを判定することを特徴とする請求項２に記載の文書処理装置。
【請求項８】
前記結合手段は、前記複数の物理ページの位置又は倍率に基づいて、前記判定手段によって前記複数の物理ページにまたがっていると判定されたオブジェクト同士を結合することを特徴とする請求項１乃至７の何れか１項に記載の文書処理装置。
【請求項９】
前記結合手段は、前記オブジェクトの有するテキストのサイズと位置座標とに応じて、前記判定手段によって前記複数の物理ページにまたがっていると判定されたオブジェクト同士を結合することを特徴とする請求項４に記載の文書処理装置。
【請求項１０】
前記第２抽出手段は夫々のオブジェクトに関するメタデータを抽出し、
前記オブジェクトと前記抽出されたメタデータとを関連付けて格納する格納手段を更に有することを特徴とする請求項１乃至９の何れか一項に記載の文書処理装置。
【請求項１１】
前記第１抽出手段によって抽出された前記複数の物理ページの夫々のレイアウトを解析するレイアウト解析手段と、
前記レイアウト解析手段によって解析されたレイアウトに基づいて前記文書画像の論理構造を解析する論理構造解析手段とを更に有し、
前記第２抽出手段は、前記論理構造解析手段によって解析された論理構造とページ構成に基づいてメタデータを抽出することを特徴とする請求項１０に記載の文書処理装置。
【請求項１２】
オブジェクトを検索するための検索条件を入力するための検索条件入力手段と、
前記検索条件入力手段によって入力された検索条件に基づいてオブジェクトに関連付けられたメタデータを検索する検索手段とを更に有することを特徴とする請求項１１に記載の文書処理装置。
【請求項１３】
文書処理装置の文書処理方法であって、
文書画像から複数の物理ページを抽出する第１抽出工程と、
前記第１抽出工程において抽出された前記複数の物理ページの夫々からオブジェクトを抽出する第２抽出工程と、
前記第２抽出工程において抽出された少なくとも１つのオブジェクトが前記複数の物理ページにまたがっているか否かを判定する判定工程と、
前記判定工程において前記複数の物理ページにまたがっていると判定されたオブジェクト同士を結合する結合工程と、
を有することを特徴とする文書処理方法。
【請求項１４】
コンピュータを、請求項１乃至１２の何れか１項に記載の文書処理装置の各手段として機能させるためのプログラム。
【手続補正２】
【補正対象書類名】明細書
【補正対象項目名】０００１
【補正方法】変更
【補正の内容】
【０００１】
本発明は、文書処理装置及び文書処理方法に関する。
【手続補正３】
【補正対象書類名】明細書
【補正対象項目名】００１３
【補正方法】変更
【補正の内容】
【００１３】
本発明は、文書処理装置であって、文書画像から複数の物理ページを抽出する第１抽出手段と、前記第１抽出手段によって抽出された前記複数の物理ページの夫々からオブジェクトを抽出する第２抽出手段と、前記第２抽出手段によって抽出された少なくとも１つのオブジェクトが前記複数の物理ページにまたがっているか否かを判定する判定手段と、前記判定手段によって前記複数の物理ページにまたがっていると判定されたオブジェクト同士を結合する結合手段と、を有することを特徴とする。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
手本音声データに基づき、手本音声を出力する手本出力部と、
コンテンツごとの音声入力時の適切な音圧レベルの範囲を示す音圧範囲データと、前記手本音声データとを記憶する記憶部と、
前記音圧範囲データに基づき、前記範囲を示す範囲画像を表示する表示部と、
ユーザーの音声を収録する収録部と、
当該収録部によって収録された音声を再生する再生部と、
を含み、
前記表示部は、前記収録部によって収録される音声の音圧レベルによって変化する音圧レベル画像と、前記範囲画像とを含む音圧メーター画像を表示することを特徴とするゲームシステム。
【請求項２】
請求項１に記載のゲームシステムにおいて、
前記音圧範囲データは、台詞ごとに前記範囲が設定されていることを特徴とするゲームシステム。
【請求項３】
請求項１、２のいずれかに記載のゲームシステムにおいて、
前記表示部は、前記手本音声の出力の際に、当該手本音声と対応する画像を表示することを特徴とするゲームシステム。
【請求項４】
請求項１〜３のいずれかに記載のゲームシステムにおいて、
前記音圧範囲データと、前記収録部によって収録される音声の音圧レベルとに基づき、当該音圧レベルが適切かどうかを評価する評価部を含むことを特徴とするゲームシステム。
【請求項５】
請求項４に記載のゲームシステムにおいて、
前記収録部は、前記評価部によって前記音圧レベルが許容範囲外であると判定された場合または音声が収録されていないと判定された場合、ユーザーの音声を再収録することを特徴とするゲームシステム。
【請求項６】
手本音声データに基づき、手本音声を出力する手本出力部と、
コンテンツごとの音声入力時の適切な音圧レベルの範囲を示す音圧範囲データと、前記手本音声データとを記憶する記憶部と、
前記音圧範囲データに基づき、前記範囲を示す範囲画像を表示する表示部と、
ユーザーの音声を収録する収録部と、
当該収録部によって収録された音声を再生する再生部と、
を含み、
前記表示部は、前記収録部によって収録される音声の音圧レベルによって変化する音圧レベル画像と、前記範囲画像とを含む音圧メーター画像を表示することを特徴とする情報提供装置。
【請求項７】
コンピュータを、
手本音声データに基づき、手本音声を出力する手本出力部と、
コンテンツごとの音声入力時の適切な音圧レベルの範囲を示す音圧範囲データと、前記手本音声データとを記憶する記憶部と、
前記音圧範囲データに基づき、前記範囲を示す範囲画像を表示する表示部と、
ユーザーの音声を収録する収録部と、
当該収録部によって収録された音声を再生する再生部として機能させ、
前記表示部は、前記収録部によって収録される音声の音圧レベルによって変化する音圧レベル画像と、前記範囲画像とを含む音圧メーター画像を表示することを特徴とするプログラム。
【請求項８】
請求項７に記載のプログラムを記憶した、コンピュータ読み取り可能な情報記憶媒体。
【手続補正２】
【補正対象書類名】明細書
【補正対象項目名】発明の名称
【補正方法】変更
【補正の内容】
【発明の名称】ゲームシステム、情報提供装置、プログラムおよび情報記憶媒体
【手続補正３】
【補正対象書類名】明細書
【補正対象項目名】０００１
【補正方法】変更
【補正の内容】
【０００１】
本発明は、ゲームシステム、情報提供装置、プログラムおよび情報記憶媒体に関する。
【手続補正４】
【補正対象書類名】明細書
【補正対象項目名】０００７
【補正方法】変更
【補正の内容】
【０００７】
本発明の目的は、アフレコに適した音圧レベルでユーザーに音声入力させることが可能なゲームシステム、情報提供装置、プログラムおよび情報記憶媒体を提供することにある。
【手続補正５】
【補正対象書類名】明細書
【補正対象項目名】００１７
【補正方法】変更
【補正の内容】
【００１７】
また、前記収録部は、前記評価部によって前記音圧レベルが許容範囲外であると判定された場合または音声が収録されていないと判定された場合、ユーザーの音声を再収録してもよい。
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
一端が掃除機本体に着脱可能に接続されるホースの他端に設けられた手元ハンドルと、ノズル本体及び該ノズル本体に取付けられたノズル部からなり、前記手元ハンドルに接続されるノズルユニットと、該ノズルユニットに着脱可能に接続される延長管と、該延長管に着脱可能に接続される床用吸込具とを有し、前記ノズルユニットに延長管を接続すると該延長管から空気を吸引し、該延長管を取外すと前記ノズル部から空気を吸引するように構成され、
前記ノズルユニットに、ノズル本体の両側から上流側に向って斜め下方に延設され先端部が橋絡されて前記ノズル部を支持するノズル支持部を設けたことを特徴とする電気掃除機。
【請求項２】
前記ノズル支持部を、前記ノズル本体の両側から上流側に向って斜め下方に延設されたガイド部と、該ガイド部の先端部を橋絡するブリッジ板とによって構成したことを特徴とする請求項１記載の電気掃除機。
【請求項３】
前記ノズル支持部のブリッジ板の上面に軟質材を取付けたことを特徴とする請求項２記載の電気掃除機。
【請求項４】
前記ノズルユニットのノズル本体とノズル支持部との間に形成された空間部から前記ノズル部の一端を挿入して前記ノズル本体に取付けることを特徴とする請求項１〜３のいずれかに記載の電気掃除機。
【請求項５】
前記ノズル部の先端部近傍に、植毛又は起毛材を有し、着脱、固定、回動、スライド可能なブラシ台を設けたことを特徴とする請求項１〜４のいずれかに記載の電気掃除機。
【請求項６】
一端が掃除機本体に着脱可能に接続されるホースの他端に設けられた手元ハンドルと、カバーに覆われたノズル本体及び該ノズル本体に取付けられたノズル部からなり、前記手元ハンドルに接続されるノズルユニットと、該ノズルユニットに着脱可能に接続される延長管と該延長管に着脱可能に接続される床用吸込具とを有し、前記ノズルユニットに延長管を接続すると該延長管から空気を吸引し、該延長管を取外すと前記ノズル部から空気を吸引するように構成され、
前記ノズル本体の延長管の接続口に該接続口を開閉する風路切換弁を設け、該風路切換弁の下流側に該風路切換弁に設けたばねにより上方に付勢され、その一部が前記ノズル本体に設けた穴から突出するストッパを設けると共に、一方の側に前記ストッパと対向する突起部を有し、他方の側に前記延長管をロックするロックアームが設けられ、ばねに付勢されてその一部が前記カバーに設けた穴から突出するロック解除ボタンを設けたことを特徴とする電気掃除機。
【手続補正２】
【補正対象書類名】明細書
【補正対象項目名】０００８
【補正方法】変更
【補正の内容】
【０００８】
本発明に係る電気掃除機は、一端が掃除機本体に着脱可能に接続されるホースの他端に設けられた手元ハンドルと、ノズル本体及び該ノズル本体に取付けられたノズル部からなり、前記手元ハンドルに接続されるノズルユニットと、該ノズルユニットに着脱可能に接続される延長管と、該延長管に着脱可能に接続される床用吸込具とを有し、前記ノズルユニットに延長管を接続すると該延長管から空気を吸引し、該延長管を取外すと前記ノズル部から空気を吸引するように構成され、前記ノズルユニットに、ノズル本体の両側から上流側に向って斜め下方に延設され先端部が橋絡されて前記ノズル部を支持するノズル支持部を設けたものである。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
ラインセンサカメラで撮像した二次元映像信号のモニタにより走者の着順とタイムを判定するようにした電子式着順およびタイム判定装置において、
前記二次元映像信号を部分画像表示用の映像信号と全体縮小画像表示用の映像信号に変換する手段を設け、
前記部分画像表示用の映像信号による画像と前記全体縮小画像表示用の映像信号による画像を同一のモニタ面に同時に表示させるように構成したことを特徴とする電子式着順およびタイム判定装置。
【手続補正２】
【補正対象書類名】明細書
【補正対象項目名】００１０
【補正方法】変更
【補正の内容】
【００１０】
上記目的は、ラインセンサカメラで撮像した二次元映像信号のモニタにより走者の着順とタイムを判定するようにした電子式着順およびタイム判定装置において、前記二次元映像信号を部分画像表示用の映像信号と全体縮小画像表示用の映像信号に変換する手段を設け、前記部分画像表示用の映像信号による画像と前記全体縮小画像表示用の映像信号による画像を同一のモニタ面に同時に表示させるようにして達成される。
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
針の有無を検出するよう針板の下方に配置された近接センサを具備し、該近接センサによる針有無の検出に基づいて針折れを判定するミシンの針折れ検出装置において、
左右に並設される針の本数に応じて近接センサを複数個配置すると共に、各近接センサに干渉防止機能付のアンプを接続し、
針の所定本数と各近接センサによって検出された針の合計本数とをミシン１回転毎に比較することにより針折れを判定するようにしたことを特徴とするミシンの針折れ検出装置。
【請求項２】
近接センサがミシン機枠に固定のブラケットに取付けられ、ブラケットに近接センサ保護用のガード片が設けられている請求項１記載のミシンの針折れ検出装置。
【請求項３】
ガード片が近接センサの上方で最右針以外の針の後方に位置付けられる請求項２記載のミシンの針折れ検出装置。
【手続補正２】
【補正対象書類名】明細書
【補正対象項目名】０００５
【補正方法】変更
【補正の内容】
【０００５】
本発明は、上記目的を達成するために、針の有無を検出するよう針板の下方に配置された近接センサを具備し、該近接センサによる針有無の検出に基づいて針折れを判定するミシンの針折れ検出装置において、左右に並設される針の本数に応じて近接センサを複数個配置すると共に、各近接センサに干渉防止機能付のアンプを接続し、針の所定本数と各近接センサによって検出された針の合計本数とをミシン１回転毎に比較することにより針折れを判定するようにしたことを特徴とする。
【手続補正３】
【補正対象書類名】明細書
【補正対象項目名】００１４
【補正方法】変更
【補正の内容】
【００１４】
次に本実施の形態における制御動作につき図３に従って説明を行う。本装置に電源を投入すると、針折れ検出回数ｃが初期化されゼロに設定される（＃１）。それから針本数設定スイッチ１７を通じて針の所定本数ｈの設定を行い（＃２）、ミシン駆動前の準備を施しておく。本実施の形態では針が３本取付けられているので、所定針数ｈが「３」となるよう設定を行う。ミシンを駆動させると３本の針は針板４を間欠的に貫通するので、対応する近接センサ７で該針の有無を検出し、検出された針の合計本数ｎを算出する（＃３）。つまり各近接センサ７が針を検出した場合は合計針数ｎが「３」となる。ここで針無しと検出される条件としては、針先端部の分断だけでなく許容外の屈曲も含まれる。
【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
複数の医療機器に対して情報通信可能に接続されて各医療機器を制御するホスト機器と前記複数の医療機器との通信伝送路上に設けられ、自身を識別する識別手段を有する信号変換装置の種別に応じた信号伝送経路でのタイムアウト値データ、及び前記各医療機器における各処理のタイムアウト値データを記録するタイムアウト値データ記録手段と、
前記識別手段を介して信号変換装置を識別すると共に、識別した信号変換装置の信号伝送経路でのタイムアウト値データを前記タイムアウト値データ記録手段から読み出して出力する信号変換装置識別手段と、
前記信号変換装置が設けられた信号伝送経路を介して前記ホスト機器に接続される前記医療機器のタイムアウト値を、前記タイムアウト値データ記録手段から読み出した当該医療機器のタイムアウト値データと前記信号変換装置の信号伝送経路でのタイムアウト値データとから設定して前記ホスト機器と前記医療機器との通信を確立する送受時間制御手段と、を備えたことを特徴とする手術システム制御装置。
【請求項２】
複数の医療機器に対して情報通信可能に接続されて各医療機器を制御するホスト機器と前記複数の医療機器との通信伝送路上に設けられた、自身を識別する識別手段を有する信号変換装置を識別するステップと、
前記識別した信号変換装置の種別に応じた信号伝送経路でのタイムアウト値データを、タイムアウト値データ記録手段から読み出すステップと、
前記信号変換装置が設けられた信号伝送経路を介して前記ホスト機器に接続される前記医療機器のタイムアウト値データを、前記タイムアウト値データ記録手段から読み出すステップと、
前記タイムアウト値データ記録手段から読み出した当該医療機器のタイムアウト値データと前記信号変換装置の信号伝送経路でのタイムアウト値データとから前記ホスト機器に接続される前記医療機器のタイムアウト値を設定して該医療機器と前記ホスト機器との通信を確立するステップと、
を備えたことを特徴とする手術機器のタイムアウト値設定方法。
【手続補正２】
【補正対象書類名】明細書
【補正対象項目名】発明の名称
【補正方法】変更
【補正の内容】
【発明の名称】手術システム制御装置及び手術機器のタイムアウト値設定方法
【手続補正３】
【補正対象書類名】明細書
【補正対象項目名】０００１
【補正方法】変更
【補正の内容】
【０００１】
本発明は手術システム制御装置及び手術システム、更に詳しくは、複数の通信伝送路により医療機器を制御する手術システム制御装置及び手術機器のタイムアウト値設定方法に関する。
【手続補正４】
【補正対象書類名】明細書
【補正対象項目名】００１１
【補正方法】変更
【補正の内容】
【００１１】
本発明は、上述した点に鑑みてなされたもので、複数種類の通信伝送経路を用いても、最適かつ安定して複数の医療機器を制御することのできる手術システム制御装置及び手術機器のタイムアウト値設定方法を提供することを目的とする。
【手続補正５】
【補正対象書類名】明細書
【補正対象項目名】００１２
【補正方法】変更
【補正の内容】
【００１２】
本発明の一態様に係る手術システム制御装置は、複数の医療機器に対して情報通信可能に接続されて各医療機器を制御するホスト機器と前記複数の医療機器との通信伝送路上に設けられ、自身を識別する識別手段を有する信号変換装置の種別に応じた信号伝送経路でのタイムアウト値データ、及び前記各医療機器における各処理のタイムアウト値データを記録するタイムアウト値データ記録手段と、
前記識別手段を介して信号変換装置を識別すると共に、識別した信号変換装置の信号伝送経路でのタイムアウト値データを前記タイムアウト値データ記録手段から読み出して出力する信号変換装置識別手段と、
前記信号変換装置が設けられた信号伝送経路を介して前記ホスト機器に接続される前記医療機器のタイムアウト値を、前記タイムアウト値データ記録手段から読み出した当該医療機器のタイムアウト値データと前記信号変換装置の信号伝送経路でのタイムアウト値データとから設定して前記ホスト機器と前記医療機器との通信を確立する送受時間制御手段と、を備えている。
【手続補正６】
【補正対象書類名】明細書
【補正対象項目名】００１３
【補正方法】変更
【補正の内容】
【００１３】
本発明の他の対応に係る手術機器のタイムアウト値設定方法は、複数の医療機器に対して情報通信可能に接続されて各医療機器を制御するホスト機器と前記複数の医療機器との通信伝送路上に設けられた、自身を識別する識別手段を有する信号変換装置を識別するステップと、
前記識別した信号変換装置の種別に応じた信号伝送経路でのタイムアウト値データを、タイムアウト値データ記録手段から読み出すステップと、
前記信号変換装置が設けられた信号伝送経路を介して前記ホスト機器に接続される前記医療機器のタイムアウト値データを、前記タイムアウト値データ記録手段から読み出すステップと、
前記タイムアウト値データ記録手段から読み出した当該医療機器のタイムアウト値データと前記信号変換装置の信号伝送経路でのタイムアウト値データとから前記ホスト機器に接続される前記医療機器のタイムアウト値を設定して該医療機器と前記ホスト機器との通信を確立するステップと、
を備えている。
【手続補正書】
【提出日】平成21年7月1日(2009.7.1)
【手続補正１】
【補正対象書類名】明細書
【補正対象項目名】０００５
【補正方法】変更
【補正の内容】
【０００５】
本発明は上述の課題を解決するため、外気と連通する発香口を設けると共に上方にファンを配置したケーシングを用いるものである。このケーシング内に、内部に発香体を収納した発香容器を配置し、この発香容器に発香体と連通して開口部を形成する。この開口部を、発香容器に折曲可能なヒンジを介して開閉可能に接続した蓋体によって被覆することにより、発香体からの発香を行ったり遮断したりする事を可能としている。そして、上記のヒンジ部は肉薄に形成したり、フイルムを止着して折曲可能なものであっても良い。また、このヒンジ部は、接続軸と軸受部から構成するものであっても良い。
【手続補正２】
【補正対象書類名】明細書
【補正対象項目名】００１８
【補正方法】変更
【補正の内容】
【００１８】
また、この押上部(１６)の頂点に連続すると共にファン(１２)の回転に伴って張設紐(１３)の下面から離脱し、張設紐(１３)との接触を解除する解除部(１７)を偏心カム(１４)に形成する。この解除部(１７)も螺旋状のスロープを介して形成し、図９、図１０に示すごとく、偏心カム(１４)の回転に伴って張設紐(１３)の下面から側方に離脱するよう螺旋状の湾曲を形成し、張設紐(１３)と非接触状態となるようにしている。この偏心カム(１４)と張設紐(１３)との接触解除により、蓋体(６)も押し上げ方向の力を解除されるから蓋体(６)は自重により下降し、発香容器(２)の開口部(４)を被覆して発香を停止する。この後もファン(１２)の回転を継続すれば蓋体(６)は、上記の作用により開口部(４)の開閉を繰り返すものとなる。この繰り返しにより、蓋体(６)はパタパタと上下動を繰り返すから、開口部に空気の流動を生じ発香体の強い発香を可能とする。又、この強い発香を好まない場合は、ファン(１２)の回転時間を短時間とすることにより発香量を調整することが出来る。
【手続補正３】
【補正対象書類名】明細書
【補正対象項目名】００１９
【補正方法】変更
【補正の内容】
【００１９】
また、上記のファン(１２)は家庭用電源、乾電池(１８)等で回転作動し、タイマーによる時間制御により自動的に作動又は作動停止し、発香の開始又は停止を可能としている。図１に示す実施例では、ケーシング(１１)の下端に乾電池(１８)の収納部(２０)を形成している。そして、ファン(１２)を、タイマーによる時間制御により自動的に作動又は作動停止し、発香の開始又は停止を可能とすれば、就寝時間の前にファン(１２)を作動させ、好みの香りに包まれた就寝を可能とすると共に入眠後はファン(１２)を停止することが可能となる。また、起床時間前にファン(１２)を作動させ、起床時に好みの香りを感知できるように、タイマーによる時間制御をセットすることも可能となる。勿論、タイマーによる時間制御を行わず、手動操作により任意時間の発香をすることも可能である。
【手続補正４】
【補正対象書類名】明細書
【補正対象項目名】００２１
【補正方法】変更
【補正の内容】
【００２１】
つぎにファン(１２)の回転の継続により図３、図４に示すごとく導入部(１５)に連続する押上部(１６)が張設紐(１３)を引き上げ、同時に蓋体(６)を引き上げて、開口部(４)を開口して発香を開始する。更にファン(１２)の回転を継続することにより、図５、図６に示すごとく押上部(１６)の頂点に張設紐(１３)が接触し、蓋体(６)の引き上げ量は最大となる。次にファン(１２)の回転により偏心カム(１４)が回転し、張設紐(１３)が図７、図８に示すごとく解除部(１７)に接触するが、この解除部(１７)はファン(１２)方向を張設紐(１３)とは接触を外すように螺旋状の湾曲を形成している。そのため、図９、図１０に示すごとく、偏心カム(１４)は張設紐(１３)との接触を解除し蓋体(６)の引き上げを解除する。蓋体(６)は自重により下降し開口部(４)を遮蔽し、発香を停止する。この後もファン(１２)の回転を継続すれば蓋体(６)は、上記の作用により開口部(４)の開閉を繰り返すものとなる。また、押上部(１６)が張設紐(１３)との接触時にファン(１２)の回転が停止したときには蓋体(６)は開放されたままとなる可能性があるが、ファン(１２)の回転が停止した状態でファン(１２)を逆転させるだけの重量を蓋体(６)に与えることにより、ファン(１２)の停止に伴い蓋体(６)が張設紐(１３)を介してファン(１２)を逆転させ、蓋体(６)が開放されたままとなる事態を防止することができる。また、押上部が張設紐(１３)と接触しているときはファン(１２)の回転が停止しないようにセンサーを用いて制御することも可能となる。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
基板と、
前記基板の主面に形成され、前記基板内に光を入射させ、前記基板外に光を放出させるための一対の光学要素と、
前記光学要素間に位置する前記基板主面に形成され、発色剤、グルコースを酸化または還元させる第１酵素、この第１酵素の生成物と反応することにより前記発色剤を発色させる物質を発生する第２酵素および非イオン性セルロース誘導体を含むグルコースセンシング膜と
を備え、
前記センシング膜は、前記第１、第２の酵素のうちの少なくとも一方の酵素が緩衝剤を取り込んだイオン性ポリマーで覆われ、かつこれら酵素および発色剤が前記非イオン性セルロース誘導体で保持された構造を有することを特徴とする光学式グルコースセンサチップ。
【請求項２】
ガラス基板と、
前記ガラス基板の主面に形成され、前記ガラス基板内に光を入射させ、前記ガラス基板外に光を放出させるための一対の光学要素と、
前記光学要素が形成された前記基板の主面に形成され、前記基板より高屈折率の樹脂からなる光反射路層と、
前記光反射路層上の前記光学要素間に形成され、発色剤、グルコースを酸化または還元させる第１酵素、この第１酵素の生成物と反応することにより前記発色剤を発色させる物質を発生する第２酵素および非イオン性セルロース誘導体を含むグルコースセンシング膜と
を備え、
前記センシング膜は、前記第１、第２のうちの少なくとも一方の酵素が緩衝剤を取り込んだイオン性ポリマーで覆われ、かつこれら酵素および発色剤が前記非イオン性セルロース誘導体で保持された構造を有することを特徴とする光学式グルコースセンサチップ。
【請求項３】
前記第１酵素は、グルコースオキシターゼであり、前記第２酵素はペルオキシターゼであり、前記発色剤は、３，３，５，５−テトラメチルベンジジンまたはＮ，Ｎ’−ビス（２−ハイドロキシ−３−スルホプロピル）トリジンの少なくともいずれか一方であることを特徴とする請求項１または２記載の光学式グルコースセンサチップ。
【請求項４】
前記イオン性ポリマーが負イオン性ポリマーであることを特徴とする請求項１または２記載の光学式グルコースセンサチップ。
【請求項５】
前記非イオン性セルロース誘導体は、アルキルセルロース、ヒドロキシアルキルセルロースおよびヒドロキシアルキルアルキルセルロースの群から選ばれる少なくとも１つであることを特徴とする請求項１または２記載の光学式グルコースセンサチップ。
【請求項６】
前記センシング膜は、架橋性高分子化合物をさらに含むことを特徴とする請求項１または２記載の光学式グルコースセンサチップ。
【請求項７】
前記架橋性高分子化合物は、ヒドロキシル基、カルボキシル基、アミノ基、イオン性官能基から選ばれる少なくとも１つの基を持つ親水性モノマーと疎水性モノマーとの共重合体であることを特徴とする請求項６記載の光学式グルコースセンサチップ。
【請求項８】
前記グルコースセンシング膜は、透水性を付与するためのポリエチレングリコールまたはエチレングリコールをさらに含むことを特徴とする請求項１または２記載の光学式グルコースセンサチップ。
【請求項９】
グルコースを酸化または還元させる第１酵素、この第１酵素の生成物と反応することにより発色剤を発色させる物質を発生する第２酵素のいずれ一方の酵素をイオン性ポリマーおよび緩衝剤の水溶液と予め混合し、この混合液を他方の酵素、発色剤および非イオン性セルロース誘導体に添加するか、または前記第１、第２の酵素をそれぞれイオン性ポリマーおよび緩衝剤の水溶液と予め混合し、各混合液を発色剤および非イオン性セルロース誘導体に添加するか、或いは前記第１、第２の酵素の両方をイオン性ポリマーおよび緩衝剤の水溶液と予め混合し、この混合液を発色剤および非イオン性セルロース誘導体に添加するか、いずれかによりグルコースセンシング膜形成用塗布液を調製する工程と、
基板にこの基板内に光を入射させ、前記基板外に光を放出させるための一対の光学要素を形成する工程と、
前記光学要素間の前記基板領域上に前記グルコースセンシング膜形成用塗布液を塗布、乾燥してグルコースセンシング膜を形成する工程と
を含むことを特徴とする光学式グルコースセンサチップの製造方法。
【請求項１０】
グルコースを酸化または還元させる第１酵素、この第１酵素の生成物と反応することにより発色剤を発色させる物質を発生する第２酵素のいずれ一方の酵素をイオン性ポリマーおよび緩衝剤の水溶液と予め混合し、この混合液を他方の酵素、発色剤および非イオン性セルロース誘導体に添加するか、または前記第１、第２の酵素をそれぞれイオン性ポリマーおよび緩衝剤の水溶液と予め混合し、各混合液を発色剤および非イオン性セルロース誘導体に添加するか、或いは前記第１、第２の酵素の両方をイオン性ポリマーおよび緩衝剤の水溶液と予め混合し、この混合液を発色剤および非イオン性セルロース誘導体に添加するか、いずれかによりグルコースセンシング膜形成用塗布液を調製する工程と、
ガラス基板の主面にこの基板内に光を入射させ、前記基板外に光を放出させるための一対の光学要素を形成する工程と、
前記光学要素が形成された前記基板の主面に前記基板より高屈折率の樹脂からなる光反射路層を形成する工程と、
前記光反射路層上の前記光学要素間に前記グルコースセンシング膜形成用塗布液を塗布、乾燥してグルコースセンシング膜を形成する工程と
を含むことを特徴とする光学式グルコースセンサチップの製造方法。
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
棒状又は円筒状のプレッツェルを準備し、
該プレッツェルを冷却材で凍結し、
該凍結プレッツェルの外側の一部又は全部に流動性チョコレートの防水性可食材を固化して層状に被覆し、
少なくとも把持部を残して、防水性可食材が被覆された該プレッツェル外側にアイスクリームを層状に覆う、
ことを含む氷菓の製造方法。
【請求項２】
該アイスクリーム被覆プレッツェルを冷却材で凍結し、
該凍結プレッツェルの外側に流動性チョコレートを固化して層状に被覆して第２チョコレート層を形成する、請求項１記載の冷菓の製造方法。
【請求項３】
該凍結プレッツェルの該把持部を上側に配置して、流動性チョコレート槽に該凍結プレッツェルを浸してチョコレート層を被覆する、
請求項１記載の冷菓の製造方法。
【請求項４】
該凍結プレッツェルの該把持部で支持して、流動性チョコレートを該凍結プレッツェルに噴霧してチョコレート層を被覆する、
請求項１記載の冷菓の製造方法。
【請求項５】
流動性チョコレート及び／又はアイスクリームを該プレッツェルに被覆する工程の前に、該プレッツェルを冷却材で凍結する、
請求項１記載の冷菓の製造方法。
【請求項６】
流動性チョコレート及び／又はアイスクリームを該プレッツェルに被覆する工程の後、次の工程までの間に、該プレッツェルを冷却材で凍結する、
請求項１記載の冷菓の製造方法。
【請求項７】
円筒状の中空プレッツェルを準備し、
該プレッツェルを冷却材で凍結し、
該凍結中空プレッツェルの内面に流動性チョコレートの防水性可食材を層状に被覆し、
防水性可食材が被覆された該プレッツェル内側にアイスクリームを充填する、
ことを含む氷菓の製造方法。
【請求項８】
該アイスクリーム充填プレッツェルの両端をチョコレートでシールする、
請求項７記載の冷菓の製造方法。
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
ＩＰ放送受信システムにおいて、
ネットワークと接続され、該ネットワークから複数のコンテンツが多重化されたストリ
ームを受信可能なホームゲートウェイ装置と、
該ホームゲートウェイ装置と接続され受信端末と、を備え、
前記受信端末は、前記ホームゲートウェイ装置に対して所望のコンテンツに対応するチ
ャンネル情報を送信可能であり、
前記ホームゲートウェイ装置は、受信した前記ストリームに含まれる多重化されたコン
テンツのうち、前記受信端末から送信されたチャンネル情報に対応するコンテンツを抽出
して前記受信端末に供給することを特徴とするＩＰ放送受信システム。
【請求項２】
請求項１に記載のＩＰ放送受信システムにおいて、前記受信端末は、コンテンツと該コ
ンテンツを配信する配信サーバのＩＰアドレスもしくはＵＲＬ情報とチャンネル情報との
対応を保持するデータベースを含み、
前記ホームゲートウェイ装置は、前記受信端末から、前記チャンネル情報として所望チ
ャンネルに対応する前記データベースに格納されたＩＰアドレスを受信し、
該ＩＰアドレスを用いて配信サーバにアクセスして前記複数のコンテンツが多重化され
たストリームを受信することを特徴とするＩＰ放送受信システム。
【請求項３】
請求項２に記載のＩＰ放送受信システムにおいて、前記テーブルは、更に前記コンテン
ツと前記配信サーバのポート番号との対応を保持することを特徴とするＩＰ放送受信シス
テム。
【請求項４】
請求項２に記載のＩＰ放送受信システムにおいて、前記データベースは、前記チャンネ
ル情報とともに、コンテンツの視聴要求もしくは蓄積要求を示す要求情報を格納し、前記
受信端末は、所望チャンネルに対応した該要求情報に応じた動作を行うことを特徴とする
ＩＰ放送受信システム。
【請求項５】
請求項１に記載のＩＰ放送受信システムにおいて、前記ホームゲートウェイ装置は、複
数の前記受信端末がホームネットワークを介して接続可能であることを特徴とするＩＰ放
送受信システム。
【請求項６】
請求項２に記載のＩＰ放送受信システムにおいて、前記受信端末は、前記データベース
に格納されたチャンネル情報のうち、視聴履歴に基づく優先順位の高い複数のチャンネル
情報を前記ホームゲートウェイ装置に送信することを特徴とするＩＰ放送受信システム。
【請求項７】
請求項１に記載のＩＰ放送受信システムにおいて、視聴チャネルを切り替える際に配信
サーバとのネットワークとの接続状態をモニタするように構成したことを特徴とするＩＰ
放送受信システム。
【請求項８】
ＩＰ放送受信装置において、
チャンネル情報を入力するための入力部と、
外部のホームゲートウェイ装置と接続可能であり、前記入力部で入力されたチャンネル
情報を前記ホームゲートウェイ装置に送信するネットワーク制御部と、を備え、
前記ネットワーク制御部は、前記ホームゲートウェイ装置で受信されたコンテンツが多
重化されたストリームのうち、前記チャンネル情報に対応したコンテンツのストリームを
受信することを特徴とするＩＰ放送受信装置。
【請求項９】
請求項８に記載のＩＰ放送受信装置において、更に、前記ネットワーク制御部で受信し
たコンテンツのストリームに基づき映像を表示する表示部を備え、
該表示部は、更に所望のコンテンツを選択するための複数の項目を含むメニュー画面が
表示可能であり、前記メニュー画面から所望のコンテンツに対応する項目が前記入力部に
よって選択され、
前記ネットワーク制御部は、前記選択された項目に対応するコンテンツのチャンネル情
報と、該選択項目に隣接する項目に対応するコンテンツのチャンネル情報とを前記ホーム
ゲートウェイ装置に送信可能であることを特徴とするＩＰ放送受信装置。
【請求項１０】
ＩＰ放送受信装置において、
表示部と、
前記表示部に、選択可能な複数のチャンネル情報を含むメニュー画面を生成して前記表
示部に表示するためのメニュー生成部と、
前記表示部に表示されたメニュー画面から、ユーザの操作に応じて所望のチャンネル情
報を選択するためのリモートコントローラと、
前記リモートコントローラで前記メニュー画面から選択されたチャンネル情報を、前記
ＩＰ放送受信装置が接続されるネットワークに送信するネットワーク制御部と、を備え、
前記ネットワーク制御部は、前記選択されたチャンネル情報と、更に、前記メニュー画
面において該選択されたチャンネル情報に隣接する位置に表示されたチャンネル情報とを
前記ネットワークに送信するであることを特徴とするＩＰ放送受信装置。
【手続補正書】
【提出日】平成21年2月18日(2009.2.18)
【手続補正１】
【補正対象書類名】特許請求の範囲
【補正対象項目名】請求項１５
【補正方法】変更
【補正の内容】
【請求項１５】
請求項１２又は１３に記載の画像処理装置としてコンピュータに機能させることを特徴とするコンピュータプログラム。
【手続補正書】
【提出日】平成21年7月13日(2009.7.13)
【手続補正１】
【補正対象書類名】特許請求の範囲
【補正対象項目名】請求項１１
【補正方法】変更
【補正の内容】
【請求項１１】
前記演算ステップにおいて求めた暗電流の量を、予め設定されている基準値と比較する暗電流比較ステップと、
前記暗電流比較ステップにおける比較の結果、前記暗電流の量が前記基準値以上である場合に、前記撮像素子から得られた画像データに対して、暗電流成分を除去する補正動作を実行する画像データ補正ステップと、
を有することを特徴とする請求項７乃至１０のいずれか１項に記載の撮像装置の制御方法。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
画素ごとに分光感度特性の異なる色信号を入力する画像色信号入力手段と、
画素に不足する色を周囲画素から補間により求める色補間処理手段とを有し、
前記色補間処理手段は、垂直方向の画素の信号に基づいた垂直色差と水平方向の画素の信号に基づいた水平色差の正負が一致する場合には、前記垂直色差と前記水平色差のうちで色差絶対値の小さい方の色差を求め、前記垂直色差と前記水平色差の正負が異なる場合には色差をゼロとすることを特徴とする画像処理装置。
【請求項２】
前記色補間処理手段は、前記垂直色差を生成する垂直色差生成部と、前記水平色差を生成する水平色差生成部と、前記垂直色差および前記水平色差の符号を判定する符号判定部と、前記垂直色差と前記水平色差の正負が一致する場合に、前記垂直色差と前記水平色差のうちで色差絶対値の小さい方の色差を選択する色差選択部と、前記垂直色差と前記水平色差の正負が異なる場合には色差をゼロとする色差ゼロ処理部とを有することを特徴とする請求項１に記載の画像処理装置。
【請求項３】
前記色補間処理手段は、注目箇所の色信号と色差基準信号との差を求めることによって色差を算出する色差計算部と、前記色差基準信号を求めて前記色差計算部に供給する中央値選択部とを有し、前記中央値選択部は、垂直方向の画素の信号に基づく垂直色差基準信号と、水平方向の画素の信号に基づく水平色差基準信号と、注目箇所の色信号とに基づき、前記垂直基準信号と前記水平基準信号と前記色信号の中央値を選択して前記色差基準信号に設定することを特徴とする請求項１に記載の画像処理装置。
【請求項４】
前記画像色信号入力手段は、ＲＧＢベイヤ信号を入力し、前記中央値選択部は、垂直方向緑信号と水平方向緑信号と赤信号の３つの中央値を赤色差基準信号として求め、垂直方向緑信号と水平方向緑信号と青信号の３つの中央値を青色差基準信号として求めることを特徴とする請求項３に記載の画像処理装置。
【請求項５】
画素ごとに分光感度特性の異なる色信号を入力する画像色信号入力ステップと、
画素に不足する色を周囲画素から補間により求める色補間処理ステップとを有し、
前記色補間処理ステップは、垂直方向の画素の信号に基づいた垂直色差と水平方向の画素の信号に基づいた水平色差の正負が一致する場合には、前記垂直色差と前記水平色差のうちで色差絶対値の小さい方の色差を求め、前記垂直色差と前記水平色差の正負が異なる場合には色差をゼロとすることを特徴とする画像処理方法。
【請求項６】
前記色補間処理ステップは、前記垂直色差を生成する垂直色差生成ステップと、前記水平色差を生成する水平色差生成ステップと、前記垂直色差および前記水平色差の符号を判定する符号判定ステップと、前記垂直色差と前記水平色差の正負が一致する場合に、前記垂直色差と前記水平色差のうちで色差絶対値の小さい方の色差を選択する色差選択ステップと、前記垂直色差と前記水平色差の正負が異なる場合には色差をゼロとする色差ゼロ処理ステップとを有することを特徴とする請求項５に記載の画像処理方法。
【請求項７】
前記色補間処理ステップは、注目箇所の色信号と色差基準信号との差を求めることによって色差を算出する色差計算ステップと、前記色計算ステップで使われる前記色差基準信号を求める中央値選択ステップとを有し、前記中央値選択ステップは、垂直方向の画素の信号に基づく垂直色差基準信号と、水平方向の画素の信号に基づく水平色差基準信号と、注目箇所の色信号とに基づき、前記垂直基準信号と前記水平基準信号と前記色信号の中央値を選択して前記色差基準信号に設定することを特徴とする請求項５に記載の画像処理方法。
【請求項８】
前記画像色信号入力ステップは、ＲＧＢベイヤ信号を入力し、前記中央値選択ステップは、垂直方向緑信号と水平方向緑信号と赤信号の３つの中央値を赤色差基準信号として求め、垂直方向緑信号と水平方向緑信号と青信号の３つの中央値を青色差基準信号として求めることを特徴とする請求項７に記載の画像処理方法。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正書】
【提出日】平成21年2月16日(2009.2.16)
【手続補正１】
【補正対象書類名】明細書
【補正対象項目名】発明の名称
【補正方法】変更
【補正の内容】
【発明の名称】送信装置及び受信装置
【手続補正２】
【補正対象書類名】明細書
【補正対象項目名】特許請求の範囲
【補正方法】変更
【補正の内容】
【特許請求の範囲】
【請求項１】  重要情報と前記重要情報以外の送信データとを互いに別の一系統で供給する供給手段と、
互いに別の一系統で供給された前記重要情報及び前記重要情報以外の送信データを、１シンボルを３ビット以上のビットを用いて表現する変調方式により変調する変調手段と、を具備し、
前記１ビット目及び２ビット目には、前記重要情報と前記重要情報以外の送信データの両方を配置し、前記１ビット目及び２ビット目以外のビットには、前記重要情報以外の送信データのみを配置することを特徴とする送信装置。
【請求項２】  請求項１記載の送信装置で変調された受信信号の１ビット目と２ビット目のどちらか一方又は両方から、重要情報を抽出する抽出手段と、
前記抽出手段により抽出された前記重要情報と前記重要情報以外の受信データとを別系統で出力する出力手段と、
前記出力手段により出力された前記重要情報に基づいて通信制御を行う通信制御手段と、
を具備することを特徴とする受信装置。
【請求項３】  前記通信制御手段は、前記重要情報に基づいて通信相手に対して再送指示を行う再送指示手段を具備することを特徴とする請求項２に記載の受信装置。
【請求項４】  前記通信制御手段は、前記重要情報に基づいて前記受信信号に対する受信制御を行う受信制御手段を具備することを特徴とする請求項２に記載の受信装置。
【請求項５】  請求項１に記載の送信装置を具備することを特徴とする基地局装置。
【請求項６】  重要情報と前記重要情報以外の送信データとを互いに別の一系統で供給する供給工程と、
互いに別の一系統で供給された前記重要情報及び前記重要情報以外の送信データを、１シンボルを３ビット以上のビットを用いて表現する変調方式により変調する変調工程と、を具備し、
前記１ビット目及び２ビット目には、前記重要情報と前記重要情報以外の送信データの両方を配置し、前記１ビット目及び２ビット目以外のビットには、前記重要情報以外の送信データのみを配置することを特徴とする送信方法。
【手続補正書】
【提出日】平成21年4月2日(2009.4.2)
【手続補正１】
【補正対象書類名】明細書
【補正対象項目名】０００２
【補正方法】変更
【補正の内容】
【０００２】
従来、この種の撮影装置としては、撮影した画像を液晶モニタに表示するデジタルカメラなどが提案されている。この装置では、撮影した画像をその場で液晶モニタに表示し、撮影者に撮影した内容（画像）を確認させるようにしている。
【特許文献１】特開平８−１８６７６８号公報
【手続補正書】
【提出日】平成21年9月26日(2009.9.26)
【手続補正１】
【補正対象書類名】特許請求の範囲
【補正対象項目名】全文
【補正方法】変更
【補正の内容】
【特許請求の範囲】
【請求項１】
機体の旋回動作を検出する旋回検出手段により検出される旋回開始のタイミングと対応して農作業装置の停止と走行距離計の計測開始を指令し、その走行距離から判定される旋回完了による次行程の作業開始位置への到達によって上記農作業装置の稼動を指令する旋回制御を行う制御処理部を備える農作業車用制御装置において、
上記制御処理部には、機体旋回のための操向動作を検出する操向動作検出手段、農作業装置の駆動を検出する作業駆動検出手段、同農作業装置の手動操作を検出する手動操作検出手段の各出力を受け、作業開始位置への到達の上記判定までの間に、操向の中断、農作業装置の駆動、農作業装置の手動操作の少なくとも１つを条件に警報作動の開始および上記旋回制御の停止の少なくとも一方を指令することを特徴とする農作業車用制御装置。
【請求項２】
作業開始位置への到達の上記判定までの間に、操向の中断、農作業装置の駆動、農作業装置の手動操作の少なくとも１つを条件に上記旋回制御の停止を指令すると共に、旋回完了の判定基準を枕地作業用に設定し、枕地の旋回制御を行うことを特徴とする請求項１に記載の農作業車用制御装置。
【手続補正２】
【補正対象書類名】明細書
【補正対象項目名】０００６
【補正方法】変更
【補正の内容】
【０００６】
請求項１に係る発明は、機体の旋回動作を検出する旋回検出手段により検出される旋回開始のタイミングと対応して農作業装置の停止と走行距離計の計測開始を指令し、その走行距離から判定される旋回完了による次行程の作業開始位置への到達によって上記農作業装置の稼動を指令する旋回制御を行う制御処理部を備える農作業車用制御装置において、上記制御処理部には、機体旋回のための操向動作を検出する操向動作検出手段、農作業装置の駆動を検出する作業駆動検出手段、同農作業装置の手動操作を検出する手動操作検出手段の各出力を受け、作業開始位置への到達の上記判定までの間に、操向の中断、農作業装置の駆動、農作業装置の手動操作の少なくとも１つを条件に警報作動の開始および上記旋回制御の停止の少なくとも一方を指令することを特徴とする。上記制御処理部により、旋回完了までの間に、操向の中断、農作業装置の駆動、農作業装置の手動操作が検出されると警報等が行われる。
請求項２に係る発明は、作業開始位置への到達の上記判定までの間に、操向の中断、農作業装置の駆動、農作業装置の手動操作の少なくとも１つを条件に上記旋回制御の停止を指令すると共に、旋回完了の判定基準を枕地作業用に設定し、枕地の旋回制御を行うことを特徴とする請求項１に記載の農作業車用制御装置とする。
【手続補正書】
【提出日】平成21年8月4日(2009.8.4)
【手続補正１】
【補正対象書類名】明細書
【補正対象項目名】０００１
【補正方法】変更
【補正の内容】
【０００１】
本発明は、はんだ接合により電子部品を基板上に実装する実装構造、特に、Ａｕ−Ｓｎ共晶合金面を用いて電子部品を基板上に搭載する方法に関する。また、本発明は、電子部品等を搭載する面として好適なはんだ面を形成する方法に関する。本発明は、電子部品をはんだ面接合により基板上に搭載するあらゆる種類の電子装置、例えば、シリコンインターボーザー、ＬＥＤ、光部品等に利用することができる。
【手続補正２】
【補正対象書類名】明細書
【補正対象項目名】００２４
【補正方法】変更
【補正の内容】
【００２４】
更にまた、本発明によると、基板の電極面にＡｕバンプを形成し、該Ａｕバンプ上に多数個のＳｎ系はんだボールを適用し、該Ｓｎ系はんだボールとＡｕバンプをリフローしてＡｕ−Ｓｎ共晶合金とし、該共晶合金を平滑化し、該平滑化した共晶合金の面上に電子部品を接合することを特徴とする基板への電子部品の搭載方法が提供される。本発明では、基板の電極面にＡｕバンプを形成した後Ｓｎ系はんだボールとの間で、Ａｕ−Ｓｎ共晶合金とした上で、平滑化処理を行った後に電子部品を平滑面に搭載しているので、電極面と電子部品との間の密着性を良好にすることができる。
【手続補正３】
【補正対象書類名】明細書
【補正対象項目名】００３４
【補正方法】変更
【補正の内容】
【００３４】
この場合において、中心部の１つのステージ用電極２０に対して複数のスタッドバンプ２４を形成しても良く、また、複数のステージ用電極２０のそれぞれに１又は複数のスタッドバンプ２４を形成しても良い。
【手続補正４】
【補正対象書類名】明細書
【補正対象項目名】００３５
【補正方法】変更
【補正の内容】
【００３５】
図３（ｂ）において、ステージ用電極２０の電子部品搭載領域上のスタッドバンプ２４の上から、この領域に、電子部品搭載領域の大きさ（例えば１辺約１．０ｍｍ程度の正方形）に相当する板状のＳｎ系はんだシート２６を搭載する。このはんだシート２６は、Ｓｎ系はんだペレットをシート状に形成したものである。Ｓｎ系はんだシート２６に代えて、Ｓｎ−Ａｕ系、Ｓｎ−Ａｇ系、Ｓｎ−Ａｇ−Ｃｕ系はんだシートを用いてもよい。
【手続補正５】
【補正対象書類名】明細書
【補正対象項目名】００４２
【補正方法】変更
【補正の内容】
【００４２】
図４は、スタッドパンプを用いないでＳｎ−Ａｕ系はんだシート２６のみを用いた例である。即ち、図２（ａ）〜（ｆ）の工程の後、図４（ａ）のように、ステージ用電極２０の電子部品搭載領域上に矩形のＳｎ−Ａｕ系はんだシート２６を搭載する。そして、図４（ｂ）において、リフローにより、ステージ用電極２０に溶融接合させる。更に、図４（ｃ）において、コイニング等によりはんだシート２６の表面を平滑化し、図４（ｄ）において、はんだシート２６上に電子部品３０を搭載し、電子部品３０の上面の電極とシリコン基板の端子電極２２との間をボンディングワイヤ３２により電気的に接続する。
【手続補正６】
【補正対象書類名】明細書
【補正対象項目名】００４３
【補正方法】変更
【補正の内容】
【００４３】
図５は、スタッドパンプやはんだシートのいずれも用いないで、電子部品３０を直接ステージ電極２０上に接合した例である。即ち、図２（ａ）〜（ｆ）の工程の後、図５において、複数のステージ用電極２０上にはんだバンプ３４を搭載し、或いは、電子部品３０の底面にステージ用電極２０に対応する位置に予めはんだバンプ３４を付着させておき、電子部品３０を基板のステージ上に搭載した後、リフローすることにより、バンプ３４により電子部品３０とステージ電極用２０とを接合する。
【手続補正７】
【補正対象書類名】明細書
【補正対象項目名】００４６
【補正方法】変更
【補正の内容】
【００４６】
図６（ｂ）及び図６（ｃ）において、ステージ用電極２０の電子部品搭載領域上のスタッドバンプ２４の上から、これら複数のＡｕバンプの形成領域、即ち、電子部品搭載領域の大きさ（例えば１辺約１．０ｍｍ程度の正方形）に相当するこの領域全体にわたって、多数個の孔を有する振り込めマスク４０を用いて、この振り込めマスク４０の孔を介してＳｎ系はんだボール４２を適用する。
【手続補正８】
【補正対象書類名】明細書
【補正対象項目名】００４８
【補正方法】変更
【補正の内容】
【００４８】
図６（ｄ）において、加熱炉にてリフローを行う。これにより、電子部品搭載領域上にはんだボール４２とスタッド状金パンプ２４とのＳｎ−Ａｕ系はんだ共晶合金４４が形成される。この場合において、スタッド状金パンプ２４はリフロー前からステージ用電極２０に固着されているので、はんだボール４２とスタッド状金パンプ２４とではんだ共晶合金４４が形成される際に、この共晶合金が所定の位置からずれることはない。